(57)【特許請求の範囲】
【請求項１】
上ヘッドと下ヘッドとの間に装着された記録媒体に対して、前記上ヘッドと前記下ヘッドのうち少なくとも１つを用いて情報の記録再生を行う情報記録再生装置において、
前記上ヘッドを移動可能に保持する上キャリッジと、
前記下ヘッドを前記上キャリッジとともに移動可能に保持する下キャリッジと、
前記記録媒体を収納したカートリッジを保持するカートリッジホルダと、
前記カートリッジホルダに回動可能に設けられ、前記カートリッジ装着時に前記記録媒体の保護シャッタを開くシャッタレバーと、
前記カートリッジホルダに設けられ、前記カートリッジが装着されていないとき、前記上ヘッドを前記下ヘッドから離間させるよう前記上キャリッジを保持するキャリッジリフタと、を備え、
前記カートリッジが前記カートリッジホルダに装着されると前記カートリッジに押されて前記カートリッジホルダの下から退避し、前記カートリッジが引き抜かれると前記カートリッジホルダの下に進入して前記カートリッジホルダの下降運動を阻止するホルダガードを更に備えたことを特徴とする情報記録再生装置。
【請求項２】
請求項１において、
前記ホルダガードは、前記カートリッジが前記カートリッジホルダに装着される際に前記カートリッジに押される当接部と、
前記当接部が前記カートリッジに押されると前記当接部の後退移動を可能とするばね部と、
前記カートリッジが装着されている時の前記カートリッジホルダの下降運動を許容する切欠部と、
前記カートリッジが引き抜かれている時の前記カートリッジホルダの下降運動を阻止する受け部と、
を有することを特徴とする情報記録再生装置。
【請求項３】
上ヘッドと下ヘッドとの間に装着された記録媒体に対して、前記上ヘッドと前記下ヘッドのうち少なくとも１つを用いて情報の記録再生を行う情報記録再生装置において、
前記上ヘッドを移動可能に保持する上キャリッジと、
前記下ヘッドを前記上キャリッジとともに移動可能に保持する下キャリッジと、
前記記録媒体を収納したカートリッジを保持するカートリッジホルダと、
前記カートリッジホルダに回動可能に設けられ、前記カートリッジ装着時に前記記録媒体の保護シャッタを開くシャッタレバーと、
前記カートリッジホルダに設けられ、前記カートリッジが装着されていないとき、前記上ヘッドを前記下ヘッドから離間させるよう前記上キャリッジを保持するキャリッジリフタと、を備え、
前記カートリッジが前記カートリッジホルダに装着されると前記カートリッジに押されて前記キャリッジリフタの下から退避し、前記カートリッジが引き抜かれると前記キャリッジリフタの下に進入して前記キャリッジリフタの下降運動を阻止するホルダガードを更に備えたことを特徴とする情報記録再生装置。
【請求項４】
請求項３において、
前記ホルダガードは、前記カートリッジが前記カートリッジホルダに装着される際に前記カートリッジに押される当接部と、
前記当接部が前記カートリッジに押されると前記当接部の後退移動を可能とするばね部と、
前記カートリッジが装着されている時の前記キャリッジリフタの下降運動を許容する切欠部と、
前記カートリッジが引き抜かれている時の前記キャリッジリフタの下降運動を阻止する受け部と、
を有することを特徴とする情報記録再生装置。
【発明の詳細な説明】
【発明の属する技術分野】
本発明は、フレキシブルディスク等の記録媒体に対する記録用ヘッドまたは再生用ヘッドの少なくとも一方を備えた装置に関する。詳しくは、記録媒体を挟んで両面に設けられた２つのヘッドの衝突防止と、その装置の薄型化に関する。
【０００１】
【従来の技術】
この種の媒体記録装置または媒体再生装置（以下、媒体再生装置について述べる）は近年、ますます小型化・薄型化・軽量化が要求され、しかも媒体再生装置を組み込んでいる携帯用コンピュータはその目的上さまざまな場所に持ち運びされるため落下・衝突などによる衝撃を多く受けることになり、耐衝撃特性の向上が必要となっている。
【０００２】
携帯用コンピュータが持ち運びされているときは、媒体再生装置は待機状態にあることが多く、１枚の記録媒体の両面に設けられた２つのヘッド（以下、上ヘッドと下ヘッドとする）はたがいに離れた状態になっている。しかもその間にはディスク等の記録媒体が存在せず、隙間（空間）となっているのでこの状態で落下などの衝撃が加えられると、上ヘッドが自重で下へ大きく振られることとなり、下ヘッドに直接に大きな力で衝突し、上ヘッドと下ヘッドが壊れることがしばしば起こった。
【０００３】
【発明が解決しようとする課題】
そこで、本発明は、上記課題を解決し、以下に示すことを目的とする。
（１）携帯用コンピュータの落下などの衝撃が加えられても、上磁気ヘッドが下磁気ヘッドに直接衝突することを防止すること。
（２）レバーを用いてわずかの変化量をレバー比でストロークを稼ぐようにし、これにより媒体再生装置の薄型化に伴ってカートリッジ操作量が制限されても磁気ヘッドの逃げ量を十分確保するようにし、媒体再生装置を薄くすること。
（３）操作量の精度が悪化しても調整機構により高さの微調節ができ、さらにカートリッジホルダ自体の保護もできる媒体再生装置を提供すること。
【０００４】
【課題を解決するための手段】
本発明の情報記録再生装置は、上ヘッドと下ヘッドとの間に装着された記録媒体に対して、前記上ヘッドと前記下ヘッドのうち少なくとも１つを用いて情報の記録再生を行う情報記録再生装置において、前記上ヘッドを移動可能に保持する上キャリッジと、前記下ヘッドを前記上キャリッジとともに移動可能に保持する下キャリッジと、前記記録媒体を収納したカートリッジを保持するカートリッジホルダと、前記カートリッジホルダに回動可能に設けられ、前記カートリッジ装着時に前記記録媒体の保護シャッタを開くシャッタレバーと、前記カートリッジホルダに設けられ、前記カートリッジが装着されていないとき、前記上ヘッドを前記下ヘッドから離間させるよう前記上キャリッジを保持するキャリッジリフタと、を備え、前記カートリッジが前記カートリッジホルダに装着されると前記カートリッジに押されて前記カートリッジホルダの下から退避し、前記カートリッジが引き抜かれると前記カートリッジホルダの下に進入して前記カートリッジホルダの下降運動を阻止するホルダガードを更に備えたことを特徴とする。
【０００５】
また、前記ホルダガードは、前記カートリッジが前記カートリッジホルダに装着される際に前記カートリッジに押される当接部と、前記当接部が前記カートリッジに押されると前記当接部の後退移動を可能とするばね部と、前記カートリッジが装着されている時の前記カートリッジホルダの下降運動を許容する切欠部と、前記カートリッジが引き抜かれている時の前記カートリッジホルダの下降運動を阻止する受け部と、を有することを特徴とする。
【０００６】
また、本発明の情報記録再生装置は、上ヘッドと下ヘッドとの間に装着された記録媒体に対して、前記上ヘッドと前記下ヘッドのうち少なくとも１つを用いて情報の記録再生を行う情報記録再生装置において、前記上ヘッドを移動可能に保持する上キャリッジと、前記下ヘッドを前記上キャリッジとともに移動可能に保持する下キャリッジと、前記記録媒体を収納したカートリッジを保持するカートリッジホルダと、前記カートリッジホルダに回動可能に設けられ、前記カートリッジ装着時に前記記録媒体の保護シャッタを開くシャッタレバーと、前記カートリッジホルダに設けられ、前記カートリッジが装着されていないとき、前記上ヘッドを前記下ヘッドから離間させるよう前記上キャリッジを保持するキャリッジリフタと、を備え、前記カートリッジが前記カートリッジホルダに装着されると前記カートリッジに押されて前記キャリッジリフタの下から退避し、前記カートリッジが引き抜かれると前記キャリッジリフタの下に進入して前記キャリッジリフタの下降運動を阻止するホルダガードを更に備えたことを特徴とする。
【０００７】
また、前記ホルダガードは、前記カートリッジが前記カートリッジホルダに装着される際に前記カートリッジに押される当接部と、前記当接部が前記カートリッジに押されると前記当接部の後退移動を可能とするばね部と、前記カートリッジが装着されている時の前記キャリッジリフタの下降運動を許容する切欠部と、前記カートリッジが引き抜かれている時の前記キャリッジリフタの下降運動を阻止する受け部と、を有することを特徴とする。
【０００８】
【作用】
シャッターレバーは、ディスクカートリッジのシャッタを開閉させる。シャッターレバーに設けられた延長部は、ディスクカートリッジが挿入される前の待機状態では、上キャリッジリフタの下に一部もぐっている。
【０００９】
ディスクカートリッジが挿入され、挿入状態になると、上キャリッジリフタの延長部は、上キャリッジリフタの下から出てくる。
【００１０】
また、デイスクカートリッジがカートリッジホルダへ挿入されると、デイスクカートリッジに押されて、上キャリッジリフタの下から退避し、逆にデイスクカートリッジが引き抜かれると、再び上キャリッジリフタ５１の下に進入してカートリッジホルダの非降下時に、上キャリッジリフタの下部を受け止めるホルダガードを設けている。
【００１１】
以上のようにしたことにより、強い衝撃を受けると上ヘッドを保持している上キャリッジが沈もうとするのを上キャリッジリフタがこれを受けて、さらにこの上キャリッジリフタが沈もうとするのをシャッタレバーの延長部が受け止めるようになり、よって上キャリッジリフタがたわむことが規制でき、ヘッドが保護される。
【００１２】
さらに、このシャッタレバーはカートリッジホルダに取り付けられているため最終的にはカートリッジホルダが沈もうとすることになるが、このカートリッジホルダの沈みをホルダガードが受け止める構造になっているので、カートリッジホルダ自身の撓みも規制できる。
【００１３】
さらに、上キャリッジリフタの沈みもホルダガードが直接受け止める構造にすることにより、上キャリッジリフタ自身がたわむことが規制できる。
【００１４】
【発明の実施の形態】
以下、本発明の実施形態について説明する。以下、記録媒体としてフレキシブルディスクを用い、さらに、フレキシブルディスクの両面に磁気的に読み書き（再生・記録）する上下の２つの磁気ヘッドを用いて説明する。記録媒体としては、例えばＺＩＰ（アイオメガ社の商標）用ディスク、ハードディスク（固定ディスク）用ディスク、光ディスク、光磁気ディスク等でもよく、それらディスクの両面に配置された記録、再生ヘッドを有する装置に関し、本発明を適用することは可能である。
【００１５】
レバー比でストロークを稼ぐタイプの媒体再生装置について図１〜図４を用いて説明する。
【００１６】
図１は、フレキシブルディスクを内蔵したディスクカートリッジ９（図９）を担持するカートリッジホルダ３に取り付けられる諸部材の分解斜視図である。図２は、カートリッジホルダ３を受けるメインフレーム６に取り付けられる諸部材の分解斜視図である。図３は、上磁気ヘッド２１と下磁気ヘッド２２とを取り付けて構成されるキャリッジの分解斜視図である。
【００１７】
図３について説明する。まず、フレキシブルディスクの上面に当接する上磁気ヘッド２１について説明する。上磁気ヘッド２１は、上磁気ヘッド２１を保持する上キャリッジ４１に接合等により一体的に保持されている。バネ性を有し、上キャリッジ４１を支える上サスペンション３０３は、平座３０２を介してネジ３０１によりキャリッジホルダ３０５にネジ止めされており、上サスペンション３０３は、上キャリッジ４１とカシメ等により一体化している。上キャリッジ４１の一端側は上磁気ヘッド２１を有し、他端側はキャリッジホルダ３０５の上面に当接し上磁気ヘッド２１を上下に移動させるときの支点となっている。
【００１８】
次に、フレキシブルディスクの下面に当接する下磁気ヘッド２２について説明する。下磁気ヘッド２２は、下磁気ヘッド２２を保持する下キャリッジ４２に接合等により一体的に保持されている。バネ性を有し、下キャリッジを支える下サスペンション３１１は、平座３０９を介してネジ３１０によりキャリッジホルダ３０５にネジ止めされており、下サスペンション３１１は、下キャリッジ４２とカシメ等により一体化している。下キャリッジ４２の一端側は、下磁気ヘッド２２を有し、他端側はネジ３１０が支点となっている。
【００１９】
また、上キャリッジ４１と下キャリッジ４２とは、上キャリッジ４１と下キャリッジ４２との間に設けられたヘッド荷重用バネ３０４によりお互いに引っ張られている。
【００２０】
また、下キャリッジ４２は、下キャリッジの突出部４２ｂがキャリッジホルダ３０５の突出部３０５ａに当接し、突出部４１ａがメインフレーム６の裏面に設けられた当接部に摺動可能に当接することにより、キャリッジホルダより上への移動を規制される。
【００２１】
プラスチック製のキャリッジホルダ３０５には、銅製のラックプレート３０８がネジ３０６により取り付けられている。ステッパ２２５（図２に示すモータ）と、ステッパ２２５の軸に取り付けられたギアと、ラックプレート３０８と、によりラックピニオン機構が構成される。キャリッジ（上磁気ヘッド２１と下磁気ヘッド２２を一体的に保持し、図３ではスライドシャフト３０７以外の部材）は、ラックピニオン機構と、キャリッジホルダ３０５を摺動可能に保持するスライドシャフト３０７とにより、フレキシブルディスクの外周から内周または内周から外周に向かって移動できる。スライドシャフト３０７は、メインフレーム６に取り付けられている。
【００２２】
さて、上磁気ヘッド２１を担持する上キャリッジ４１において、レバー比でストロークを稼ぐためにその支持を上キャリッジリフタ５１に行わせるようにしている点について、図４を用いて説明する。
【００２３】
図４（Ａ）、（Ｂ）において、実線は、ディスクカートリッジ９が挿入されているとき（挿入状態）の上キャリッジ４１と上キャリッジリフタ５１との関係を示し、二点鎖線は、ディスクカートリッジ９が挿入されていないとき（待機状態）の両者の関係を示している。
【００２４】
上キャリッジ４１には上キャリッジ支持部４１１が形成されている。また上キャリッジリフタ５１は、カートリッジホルダ３に固定される上キャリッジリフタ５１の支点５１１を支点として旋回可能に取り付けられている。図４中で、上キャリッジリフタ５１の右端（支点５１１から距離ｂ；図４（Ｂ）参照）の上には、上キャリッジ支持部４１１が重なっている。一方、上キャリッジリフタ５１の左端（支点５１１から距離ａ）には、上キャリッジリフタ５１の持ち上げ量を調節する調節ネジ５１２（調節ネジ５１２は、メインフレーム６にネジ２２８により固定された調整ガイド２２６に設けられている；図２参照）が設けられており、調節ネジ５１２により、上キャリッジ支持部４１１と上キャリッジリフタ５１の右端との対向する隙間が適切な状態になるよう、ネジ調節される。
【００２５】
図４の実線の状態及び図１１の状態（挿入状態）では、上キャリッジ４１に担持されている上磁気ヘッド２１は、磁気ディスク９１と接触状態にあり、磁気デイスク９１の上面に記録されている情報を読み取りまたは書き込みできる。また、下キャリッジ４２に担持されている下磁気ヘッド２２も、磁気ディスク９１と接触状態にあり、磁気ディスク９１の下面に記録されている情報を読み取りまたは書き込みできる。
【００２６】
さて、カートリッジ挿入状態からカートリッジ待機状態（図４の二点鎖線の状態）に戻すために、イジェクトボタン１５を押すと、カートリッジホルダ３は上へ上がり（図１０、図１１参照）、カートリッジホルダ３に固定された上キャリッジリフタの支点５１１もカートリッジホルダ３と一緒に上へ上がる。そのとき、上キャリッジリフタ５１の左端（図４）は、調節ネジ５１２（注；調節ネジ５１２は、メインフレーム６に調節ガイド２２６を介して固定されているため、カートリッジ挿入→待機によっては、移動しない）によって上昇を阻止されるため、二点鎖線で示すように支点５１１を中心に上キャリッジリフタ５１の右端（図４）がレバー比のｂ／ａ倍拡大されて大きく上へ上昇する。
【００２７】
このようにキャリッジリフタ５１の動きをカートリッジホルダ３に連動させることでレバー比で上キャリッジのストロークを稼ぐことができた。これにより、リムーバル補助記録装置であるフレキシブルディスク装置の薄型化が可能になった。
【００２８】
ここで、上キャリッジリフタ５１および上キャリッジ４１が持ち上げられた待機状態（二点鎖線の状態）では、上キャリッジ４１の動きを考慮すると、上キャリッジ４１が上下にかなり動いてもレバー比の分だけカートリッジホルダ３の動きが減ってくる（たとえば、上キャリッジ４１が３mm動いたとすると、レバー比がａ：ｂ＝１：３であれば１mmしかカートリッジホルダ３は動かないことになる）のでよい。
【００２９】
しかし、待機状態でカートリッジホルダ３の動き（撓み）を考慮すると、カートリッジホルダ３が少し撓んでもレバー比だけ拡大されてしまい、上キャッリッジ４１は大きく動き、上キャッリッジ４１に取り付けられている上磁気ヘッド２１が下磁気ヘッド２２と衝突してしまうことになってしまう課題がある。
【００３０】
ここで、カートリッジホルダ３の撓みを防止する構成及び作用について以下に詳述する。
【００３１】
カートリッジホルダ３（図１）は、メインフレーム６（図２）の中に収納されている。カートリッジホルダ３には、ディスクカートリッジ９が挿入されるとデイスクシャッタ９２（図９）を移動させ開くためのシャッタレバー１２と、支点５１１（図４）を介して支えられる上キャリッジリフタ５１とが取り付けられている。
【００３２】
シャッタレバー１２のシャッタレバー支点１３を中心にしてシャッタレバー先端部１２１の反対側にシャッタレバー延長部１２２を形成させたものである。このシャッタレバー延長部１２２の拡大図が、図４に示されている。図４において、シャッタレバー１２がデイスクシャッタ９２を開けるＡ方向移動動作とともにシャッタレバー延長部１２２もＣ方向へ移動し、逆にシャッタレバー１２がデイスクシャッタ９２を閉じるＢ方向移動動作とともにシャッタレバー延長部１２２もＤ方向へ連動して移動する。
【００３３】
デイスクカートリッジ９の挿入状態（実線）においては、このシャッタレバー延長部１２２は、上キャリッジリフタ５１の下側から退避している。
【００３４】
待機状態（二点鎖線）においては、シャッタレバー延長部１２２は上キャリッジリフタ５１の下側へもぐることになり、上キャリッジリフタ５１が衝撃で下に大きく振れようとしても、上キャリッジリフタ５１の下側へもぐっているシャッタレバー延長部１２２によってそれが阻止される。
【００３５】
すなわち、待機状態で衝撃を受けると、
（１）上磁気ヘッド２１を保持している上キャリッジ４１が沈もうとするのを上キャリッジ４１の突出部４１１に当接する上キャリッジリフタ５１がこれを受け止める。
【００３６】
（２）さらに、上キャリッジリフタ５１が沈もうとするのをシャッタレバー延長部１２２が受け止める。
【００３７】
ここで、シャッタレバー延長部１２２が上キャリッジリフタ５１を受けとめると、シャッタレバー１２を取り付けているカートリッジホルダ３自体に荷重Ｇがかかるので、このカートリッジホルダ３が下へ撓んでいくようになる。
【００３８】
そこで本発明では、このカートリッジホルダ３の撓みをも解決するものである。すなわち、待機状態においてこのカートリッジホルダ３自身を受け止めるためのホルダガード７をカートリッジホルダ３の下に設けたものである。ホルダガード７について、図５〜図８を用いて説明する。
【００３９】
ホルダガード７はバネ部材で作るのがよく、その形状は図５に示すとおりである。すなわち、ホルダガード７は、デイスクカートリッジ９が挿入されることにより押される当接部７１と、デイスクカートリッジ９が挿入するときカートリッジホルダ３が下降するとともにカートリッジホルダ３の先端３ａの下降運動を許すための切欠部７２と、待機状態においてカートリッジホルダ３の下降運動を阻止するための受け部７３と、デイスクカートリッジ９を介して当接部７１が押されると当接部７１の後退移動を可能とさせるためのばね部７４と、ホルダガード７をネジ２２８によりカートリッジホルダ３以外の位置（図２のメインフレーム６）に固定するホルダガード取付孔７５とからなっている。
【００４０】
ホルダガード７の動作は図６に示してある。すなわち、デイスクカートリッジ９がカートリッジホルダ３内に挿入される（図６（Ｂ））と、デイスクカートリッジ９に押されてバネ部７４により曲がりホルダガード７は後退し、カートリッジホルダ３の下部はホルダガード７の切欠部７２に位置することになる。
【００４１】
デイスクカートリッジ９が引き抜かれ待機状態になる（図６（Ａ））と、バネ部７４の曲がりが戻るため受け部７３はカートリッジホルダ３の下にもぐり込むようになり、この待機状態ではカートリッジホルダ３の下部３ａはホルダガード７の受け部７３に位置することになって、カートリッジホルダ３自身の撓みを受け部７３で受け止める。ホルダガード７は、カートリッジホルダ３の撓みやすい所に配置できる。
【００４２】
以上をまとめると、待機状態で媒体再生装置が衝撃を受けると、
（１）上磁気ヘッド２１を保持している上キャリッジ４１が沈もうとするとき、上キャリッジ４１の突出部４１１を上キャリッジリフタ５１が受ける。
【００４３】
（２）上キャリッジリフタ５１が沈もうとするとき、シャッタレバー１２の延長部１２２が受け止める。
【００４４】
（３）シャッタレバー１２はカートリッジホルダ３に取り付けられているためカートリッジホルダ３が沈もうとすることになるが、カートリッジホルダ３が沈もうとするとき、ホルダガード７が受け止める。
【００４５】
また、図７は、他の実施例のホルダーガードの形状である。ホルダガード７は、デイスクカートリッジ９が挿入されことにより押される当接部７６と、ディスクカートリッジ９を挿入するときカートリッジホルダ３の先端部３ａの下降運動を許すための切欠部７７と、を有する。また、ホルダガード７は、待機状態においてカートリッジホルダ３の下降運動を阻止するための受け部７８と、上キャリッジリフタ５１の下降運動を阻止するための受け部８１と、デイスクカートリッジ９の先端で当接部７６が押されると当接部７６の後退移動を可能とさせるためのバネ部７９と、このホルダガード７をカートリッジホルダ３以外の位置（たとえばメインフレーム６）に固定するホルダガード取付孔８０とからなっている。
【００４６】
このホルダガード７の動作は図８に示してある。すなわち、デイスクカートリッジ９がカートリッジホルダ３内に挿入されると（図８（Ｂ））、デイスクカートリッジ９に押されてホルダガード７は後退し、カートリッジホルダ３の先端部３ａはホルダガード７の切欠部７７に位置することになる。さらに、上キャリッジリフタ５１の先端突出部部５１ａ（図１参照）の下部には干渉する部材がなく、受け部７８まで、上キャリッジリフタ５１は自由に下降運動できる。
【００４７】
デイスクカートリッジ９が引き抜かれ、待機状態になると（図８（Ａ））、受け部７８は、カートリッジホルダ３の下にもぐり込むようになり、カートリッジホルダ３の先端部３ａはホルダガード７の受け部７８に位置することになって、カートリッジホルダ３の撓みを受け部７８で受け止め、上キャリッジリフタ５１の下部にもホルダガード７の下降運動を阻止するための受け部８１が位置することになって、上キャリッジリフタ５１の撓みを阻止することとなる。
【００４８】
従って、以上をまとめると、この第２の実施例での待機状態で、媒体再生装置が衝撃を受けると、
（１）上磁気ヘッド２１を保持している上キャリッジ４１が沈もうとするとき、上キャリッジ４１の突出部４１１を上キャリッジリフタ５１が受け止める。
（２）上キャリッジリフタ５１が沈もうとするとき、シャッタレバー１２の延長部１２２が受け止める。
（３）上キャリッジリフタ５１が沈もうとするとき、リフタの先端部５１ａをホルダガード７の受け部８１が受け止める。
（４）シャッタレバー１２がカートリッジホルダ３に取り付けられているため、（２）によりカートリッジホルダ３が沈もうとすることになるが、カートリッジホルダ３が沈もうとするとき、ホルダ３ａの先端部をホルダガード７の受け部７８が受け止める。
【００４９】
【発明の効果】
以上説明したように、本発明によると、強い衝撃を受けると、ヘッドを保持している上キャリッジが沈もうとするのを上キャリッジリフタがこれを受けて、さらにこの上キャリッジリフタが沈もうとするのを受けて最終的にはカートリッジホルダが沈もうとすることになるが、このカートリッジホルダの沈みをホルダガードが受け止める構造になっているので、カートリッジホルダの撓みを規制でき、ヘッドが保護されるという効果が得られる。
【００５１】
また、上キャリッジリフタをホルダガードで受け止める構造とすることもできるので、上キャリッジリフタの撓みを規制できる効果がある。
【図面の簡単な説明】
【図１】カートリッジホルダに取り付けられる本発明のシャッタレバーを含む諸部材の分解斜視図。
【図２】メインフレームに取り付けられる本発明のホルダガードを含む諸部材の分解斜視図。
【図３】本発明に用いられる磁気ヘッド取り付け部の分解斜視図。
【図４】本発明のシャッタレバー延長部の動作を示す断面図Ａと平面図Ｂ。
【図５】本発明のホルダガードの斜視図。
【図６】本発明のホルダガードの動作を示す待機状態断面図Ａと挿入状態断面図Ｂ。
【図７】本発明の他の実施例のホルダガードの斜視図。
【図８】本発明の他の実施例のホルダガードの動作を示す待機状態断面図Ａと挿入状態断面図Ｂ。
【図９】本発明に用いられるカートリッジの斜視図。
【図１０】待機状態を示す図で、Ａは概略断面図、Ｂは概略平面図。
【図１１】挿入状態を示す図で、Ａは概略断面図、Ｂは概略平面図。
【符号の説明】
１      媒体再生装置
１２    シャッタレバー
１２１  シャッタレバー先端部
１２２  シャッタレバー延長部
２１    上磁気ヘッド
２２    下磁気ヘッド
３      カートリッジホルダ
３ａ  カートリッジホルダ下部先端部
４１    上キャリッジ
４１１  上キャリッジ支持部
４２    下キャリッジ
５１    上キャリッジリフタ
５１ａ  突出部
５１１  上キャリッジリフタ支点
５１２  上キャリッジリフタ持ち上げ量調節ねじ
６      メインフレーム
７      ホルダガード
７１、７６  ホルダガード当接部
７２、７７  ホルダガード切欠部
７３、７８  ホルダガード受け部
７４、７９  ホルダガードばね部
８１    ホルダガードの上キャリッジリフタ受け部
９      デイスクカートリッジ
９１    磁気デイスク
９２    デイスクシャッタ
【図１】
0003714270.tif 000002
【図２】
0003714270.tif 000003
【図３】
0003714270.tif 000004
【図４】
0003714270.tif 000005
【図５】
0003714270.tif 000006
【図６】
0003714270.tif 000007
【図７】
0003714270.tif 000008
【図８】
0003714270.tif 000009
【図９】
0003714270.tif 000010
【図１０】
0003714270.tif 000011
【図１１】
0003714270.tif 000012